(57)【要約】      （修正有）【課題】自動二輪車等の荷台への着脱において、固定作業を容易に行うことができ、かつ、走行による振動を受けても緩まない運搬用容器を提供する。【解決手段】自動二輪車や自転車の荷台に取り付けて荷物を収容する運搬用容器１であって、容器本体１０の底面に設けられ荷台５０の一部が嵌合可能な切欠部を備える取付部材と、前記取付部材に回動可能に設けられる押え部材と、前記押え部材に備えられるフックと、前記フックを係止して前記取付部材の回動を抑止する係止装置２０と、を有する。また、前記フックを係止したときに前記切欠部と前記押え部材とが前記荷台の一部を挟持するものとする。【選択図】図１
0003178816.tif 000002
【実用新案登録請求の範囲】
【請求項１】
自動二輪車や自転車の荷台に取り付けて荷物を収容する運搬用容器であって、
容器本体の底面に設けられ荷台の一部が嵌合可能な切欠部を備える取付部材と、
前記取付部材に回動可能に設けられる押え部材と、
前記押え部材に備えられるフックと、
前記フックを係止して前記取付部材の回動を抑止する係止装置と、を有し、
前記フックを係止したときに前記切欠部と前記押え部材とが前記荷台の一部を挟持することを特徴とする運搬用容器。
【請求項２】
前記係止装置が、前記容器本体の内側に固定される基礎部材と、
前記基礎部材に回動可能に設けられるレバーと、
前記レバーに回動可能に設けられる引掛け部材と、を有し、
前記押え部材を前記荷台の一部に当接させて、前記フックを前記容器本体の底面を貫通して前記容器本体の内側に突出させ、前記レバーを持ち上げて前記引掛け部材の先端を前記フックに引っ掛け、前記レバーを倒すことで前記フックが係止されることを特徴とする請求項１に記載の運搬用容器。
【請求項３】
前記取付部材が、前記容器本体の内側に設けられ前記係止装置を備える上取付部材と、前記容器本体の外側に設けられ前記切欠部及び前記押え部材を備える下取付部材とからなり、
前記上取付部材の一部と前記下取付部材の一部とが前記容器本体の底面を挟んで結合されることを特徴とする請求項１又は請求項２に記載の運搬用容器。
【請求項４】
前記取付部材と、前記押え部材と、前記係止装置とが、一つの運搬用容器に対して複数組設けられ、そのうち少なくとも１組は他とは異なる方向を向いて前記荷台の一部を挟持することを特徴とする請求項１から３のいずれかに記載の運搬用容器。
【考案の詳細な説明】
【技術分野】
【０００１】
本考案は、バイクや自転車の荷台に取り付けて、荷物を収容する運搬用容器に関するものである。
【背景技術】
【０００２】
荷物を運搬したり、ヘルメットを収容したりするために、バイク等の荷台に運搬用容器を取り付けることがある。このような運搬用容器は、それほど頻繁に着脱を繰り返すものではないが、バイク修理の際や、一台のバイクを様々な用途に使用する場合などには、一時的に取り外すこともあるので、容易に着脱できる構造であることが望ましい。
【０００３】
従来の運搬用容器の取付方法は、取付用部品を荷台に取り付け、容器本体と取付用部品とを直接ボルトで締結するというものである。このとき、ボルトの締め付け作業は、運搬用容器の内部又は荷台の下面側で行われることになるので、手が届き難く、また、ボルト孔を合わせる作業も煩雑なので、着脱に長時間を要するという問題があった。さらに、運搬用容器を荷台に載せたとき、固定されていない状態では運搬用容器が動いてしまい、位置決めが難しいという問題もあった。
【０００４】
そこで、特許文献１（実用新案登録第３１６２０２７号）では、運搬用容器に荷台の隙間に嵌合する凹部を備えることで、荷台の位置決めを容易にし、かつ取付ステーと簡易な固定装置によりワンタッチで固定することができる運搬用容器を提案している。図５は、このような取付ステーを用いた運搬用容器の取付装置を説明する図である。
【０００５】
この運搬用容器は、容器本体１０の底面に外側に突出する凹部６０を備え、その凹部６０を荷台５０の隙間に嵌合させ、鋼製の固定装置６２と取付ステー６１を用いて荷台５０に固定するものである。取付ステー６１の一方の端部は、凹部６０の側面に設けられた貫通孔６０ａに挿し込まれて、固定装置６２で固定される。ここで、固定にボルト類を用いると取付作業が煩雑になり、長時間を要することになるので、この固定装置６２は、ボルト類を使用しない構成であり、ワンタッチで固定できるものとしている。
【０００６】
取付ステー６１は、このように一端は容器本体１０に固定されるが、他端は９０゜曲げ加工された形状で、その曲げ加工部分が荷台５０の鋼管部分の側方から下方にかけての円周の１／４程度に接触する。このような形状であれば、荷台５０に対し下方及び側方から接することができるので、容器本体１０を持ち上げて取り外されるのを防止するだけでなく、走行中に容器本体１０が側方に移動することを抑制する働きも備えている。
【先行技術文献】
【特許文献】
【０００７】
【特許文献１】実用新案登録第３１６２０２７号
【考案の概要】
【考案が解決しようとする課題】
【０００８】
しかし、この運搬用容器の取付方法では、走行による振動の影響で取付ステーが緩むことがあるという問題があった。
【０００９】
この様な実情に鑑み、本考案は、着脱作業を容易に行うことができ、かつ、走行による振動を受けても緩まない運搬用容器を提供するものである。
【課題を解決するための手段】
【００１０】
本考案に係る運搬用容器は、自動二輪車や自転車の荷台に取り付けて荷物を収容する運搬用容器であって、容器本体の底面に設けられ荷台の一部が嵌合可能な切欠部を備える取付部材と、その取付部材に回動可能に設けられる押え部材と、その押え部材に備えられるフックと、そのフックを係止して前記取付部材の回動を抑止する係止装置と、を有し、前記フックを係止したときに前記切欠部と前記押え部材とが前記荷台の一部を挟持するものである。
【００１１】
ここで、係止装置が、前記容器本体の内側に固定される基礎部材と、その基礎部材に回動可能に設けられるレバーと、そのレバーに回動可能に設けられる引掛け部材と、を有し、前記押え部材を前記荷台の一部に当接させて、前記フックを容器本体の底面を貫通して容器本体の内側に突出させ、前記レバーを持ち上げて前記引掛け部材の先端を前記フックに引っ掛け、前記レバーを倒すことで前記フックが係止されるものにすることができる。
【００１２】
また、取付部材が、容器本体の内側に設けられ前記係止装置を備える上取付部材と、容器本体の外側に設けられ前記切欠部及び前記押え部材を備える下取付部材とからなり、前記上取付部材の一部と前記下取付部材の一部とが容器本体の底面を挟んで結合されるものにしてもよい。
【００１３】
さらに、前記取付部材と、前記押え部材と、前記係止装置とが、一つの運搬用容器に対して複数組設けられ、そのうち少なくとも１組は他とは異なる方向を向いて前記荷台の一部を挟持することにするとよい。
【考案の効果】
【００１４】
本考案の運搬用容器によれば、切欠部と押え部材により荷台の一部を挟持して固定されるので、走行による振動を受けても緩むことがないという効果を奏する。また、取付部材の切欠部に荷台の一部を嵌合するので、着脱作業時にも容器本体は安定し、かつ、固定作業を容易に行うことができるという効果を奏する。
【図面の簡単な説明】
【００１５】
【図１】本考案の運搬用容器を荷台に取り付けた状態での容器底部の平面図である。
【図２】図１の取付装置の拡大平面図である。
【図３】図２の断面図であって、（ａ）はＡ−Ａ断面、（ｂ）はＢ−Ｂ断面、（ｃ）はＣ−Ｃ断面である。
【図４】取付装置による取付方法を説明する断面図であって、（ａ）は係止前の状態、（ｂ）は押え部材を荷台に押圧した状態、（ｃ）は係止装置により係止をする直前の状態である。
【図５】取付ステーを用いた運搬用容器の取付装置を説明する図である。
【考案を実施するための形態】
【００１６】
以下、本考案の実施の形態を添付図面を参照して説明する。
図１は、本考案の運搬用容器を荷台に取り付けた状態での容器底部の平面図である。荷台５０は、一般的なバイクに用いられているものであり、図の左側がバイクの進行方向である。外周の骨組みは鋼管、中央部は鋼板で構成され、それぞれが溶接で接合されている。また、所々に上面から下面に向かって隙間があいているので、雨水が溜まりにくく、紐等で荷物をくくりつけたりするのに適した構造になっている。
【００１７】
ここでは、運搬用容器１の容器本体１０の底面に取付装置１５が複数組（本実施例では４組）設けられている。取付装置１５は、荷台５０の鋼管部分を挟持することで、容器本体１０を荷台５０に固定するものであればよい。そして、これらの取付装置１５のうち少なくとも１組の挟持の方向が他とは異なる方向を向いていることで、運搬用容器１が滑動しないように荷台５０に固定することができる。なお、図１では、図の上側と下側に設けられた取付装置１５は図の横方向の鋼管部分を挟持し、図の右側に並んで設けられた取付装置１５は図の縦方向の鋼管部分を挟持しているので、運搬用容器１は滑動しない。
【００１８】
次に取付装置１５の実施例について説明する。図２は、図１の取付装置の拡大平面図である。また、図３は、図２の断面図であって、（ａ）はＡ−Ａ断面、（ｂ）はＢ−Ｂ断面、（ｃ）はＣ−Ｃ断面である。さらに、図４は、取付装置による取付方法を説明する断面図であって、（ａ）は係止前の状態、（ｂ）は押え部材を荷台に押圧した状態、（ｃ）は係止装置により係止をする直前の状態である。この実施例による取付装置１５の構成は、大きく分けると取付部材（上取付部材１６、下取付部材１７）、押え部材４０、係止装置２０を有する。
【００１９】
この取付装置１５は、容器内側に配置される上取付部材１６と容器外側に配置される下取付部材１７とで、容器本体１０の底面を挟んで、リベット４４で閉じることで設置されている。図２は、容器本体１０の内側方向から見た取付装置１５なので、上取付部材１６側を示したものである。なお、取付装置１５は、必ずしもこのように容器本体１０の底面を挟んで設置する構造に限定する必要はないが、容器本体１０の底面を挟む構造にすると、取付部分の強度を上げることができる。
【００２０】
上取付部材１６には、係止装置２０が備えられている。本実施例では、上取付部材１６には溝型に凹んだ部分が設けられ、その凹んだ部分に係止装置２０を備えているが、これは容器本体１０の内側に係止装置２０が突出して邪魔になることを避けるためであり、必ずしも溝型に凹んだ部分を設けなければならないというものではない。また、容器本体１０の剛性が高ければ、係止装置２０を直接容器本体１０の底面に設けることも可能である。その場合は、取付部材としては、上取付部材１６を設けずに下取付部材１７のみの構成となる。
【００２１】
係止装置２０の構成は、基礎部材２１と、レバー２２と、引掛け部材２３とを有する。基礎部材２１は容器本体１０の内側で上取付部材１６に結合された部材であり、回転軸２０ａを備えている。なお、前述したとおり、係止装置２０は、直接容器本体１０の底面に設けることもでき、その場合は、基礎部材２１は上取付部材１６ではなく、容器本体１０の底面内側に直接結合される。また、回転軸２０ａには、回動可能にレバー２２が設けられており、さらにそのレバー２２にもう一つの回転軸２０ｂが備えられていて、そこに引掛け部材２３が回動可能に設けられている。
【００２２】
容器本体１０を荷台５０に固定するときは、引掛け部材２３を後述するフック４０ａに引っ掛け、レバー２２を倒す。なお、回転軸２０ｂは、レバー２２に沿って僅かに移動可能に取り付けられており、レバー２２の内部に備えられた図示しないバネによって付勢されている。そしてレバー２２を倒したり立てたりする際に抵抗が生じる構成になっているので、レバー２２は倒した状態で安定する。
【００２３】
下取付部材１７は、容器本体１０の底面から下側に突出した部材であり、容器本体１０の底面下側に面接触して結合されるフランジ部１７ａと、そのフランジ部１７ａから直角方向に曲げられたウェブ部１７ｂがある。そして、ウェブ部１７ｂには、荷台５０の鋼管部分が嵌合できる切欠部３０が備えられている。
【００２４】
このような切欠部３０を設ければ、容器本体１０を荷台５０の上に置いたときに、切欠部３０に荷台５０の鋼管部分が嵌合することで、容器本体１０が着脱作業時に安定し、固定作業を行うことが容易になる。
【００２５】
また、ウェブ部１７ｂには回転軸４０ｂが備えられており、その回転軸４０ｂに回動可能に押え部材４０が取り付けられている。押え部材４０は、切欠部３０に嵌合した荷台５０の鋼管部分を下側から押圧するもので、先端にはフック４０ａが備えられている。
【００２６】
フック４０ａは、係止装置２０の引掛け部材２３に引っ掛けられて係止されるのに用いられる。係止の方法としてはまず、図４（ａ）に示すように、回転軸４０ｂを軸にして回動可能な押え部材４０を矢印方向（図の時計回り）に回動させる。そして、図４（ｂ）に示すように、押え部材４０が荷台５０を押圧した状態する。そして、そのとき、容器本体１０の底面にある貫通孔からフック４０ａが容器内側に突出する。
【００２７】
上取付部材１６に設けられた係止装置２０は、前述したように基礎部材２１が上取付部材１６に固定され、引掛け部材２３は回転軸２０ｂを軸に、レバー２２は回転軸２０ａを軸に回動可能に取り付けられている。図４（ｃ）は、フック４０ａに引掛け部材２３の先端を引っ掛け、レバー２２を矢印方向（図の時計回り）に倒そうとしているところである。このまま、レバー２２を倒せばフック４０ａが係止され、取り付けが完了し、図３（ａ）の状態になる。
【００２８】
そして、このとき押え部材４０が荷台５０の下側を押圧した状態で固定される。つまり、下取付部材１７の切欠部３０と押え部材４０により荷台５０の一部を挟持するので、容器本体１０の取り付けが強固になり、簡単に取り外したり、走行時の振動によって取付が緩むことがなくなって、安全である。
【符号の説明】
【００２９】
１            運搬用容器
１０          容器本体
１５          取付装置
１６          上取付部材
１７          下取付部材
１７ａ        フランジ部
１７ｂ        ウェブ部
２０          係止装置
２１          基礎部材
２２          レバー
２３          引掛け部材
３０          切欠部
４０          押え部材
４０ａ        フック
４０ｂ        回動軸
４４          リベット
５０          荷台
【図１】
0003178816.tif 000003
【図２】
0003178816.tif 000004
【図３】
0003178816.tif 000005
【図４】
0003178816.tif 000006
【図５】
0003178816.tif 000007